(57)【要約】【課題】平面表示装置の表示パネルを光学的に効率よく検査することのできる検査方法及び検査用冶具を提供する。【解決手段】複数の表示パネルをそれぞれ位置決めして吸着保持することが可能な複数の吸着部が一列又は複数列に配置され、これら複数の吸着部による吸着状態を同時に解除することが可能な解除手段を有する検査用冶具を用意し、複数の表示パネルを位置決めしつつ、前記複数の吸着部のそれぞれに同時に又は順次吸着させ、これら複数の表示パネルを吸着保持した状態のままで、吸着された表示パネルの検査面が光学的検査装置の対物レンズ又はカメラに対向するように検査用冶具を反転させて位置決めしつつ検査台に載置して表示パネルの検査を行い、検査用冶具に吸着された全ての表示パネルの検査が終了すると、解除手段により吸着部の負圧状態を解除して表示パネルを開放する。【選択図】図１
2008241464.tif 000002
【特許請求の範囲】
【請求項１】
平面表示装置を構成する表示パネルを検査台に載置して光学的に検査する方法であって、
複数の表示パネルをそれぞれ位置決めして吸着保持することが可能な複数の吸着部が一列又は複数列に配置され、これら複数の吸着部による吸着状態を同時に解除することが可能な解除手段を有する検査用冶具を用意し、
検査対象となる複数の表示パネルを位置決めしつつ、その上面に前記吸着部を押し当てて、前記複数の吸着部のそれぞれに前記複数の表示パネルを同時に又は順次吸着させ、
これら複数の表示パネルを吸着保持した状態のままで前記検査用冶具を持ち上げ、吸着された表示パネルの検査面が光学的検査装置の対物レンズ又はカメラに対向するように検査用冶具を反転させて位置決めしつつ検査台に載置し、
一の表示パネルの検査が終了するごとに光学的検査装置の対物レンズ又はカメラに対して検査用冶具を直線的に移動させて次の表示パネルの検査を行い、
検査用冶具に吸着された全ての表示パネルの検査が終了すると、冶具を持ち上げて表示パネルを開放する位置まで移動させ、
表示パネルを下に向けて解除手段により吸着部の負圧状態を解除して表示パネルを開放する
ことを特徴とする表示パネルの検査方法。
【請求項２】
携帯機器用の液晶表示パネルの検査を行うことを特徴とする、請求項１に記載の表示パネルの検査方法。
【請求項３】
複数の表示パネルをそれぞれ吸着保持することが可能な複数の吸着部が一列又は複数列に配置され、これら複数の吸着部による吸着状態を同時に解除することが可能な解除手段を有する、請求項１又は２に記載の表示パネルの検査方法に用いられる検査用冶具。
【発明の詳細な説明】
【技術分野】
【０００１】
本発明は、液晶表示装置等の平面表示装置を構成する表示パネルの検査方法、及びそれに用いる検査用冶具に関する。
【背景技術】
【０００２】
携帯電話等の携帯機器に用いられる液晶表示装置の表示パネルの周辺部における駆動ＩＣやフレキシブルプリント基板（ＦＰＣ）の実装圧着部の検査は、主に顕微鏡等の光学的検査手段により行われている（例えば、特許文献１）。
【０００３】
そのような検査の際、手袋をはめた作業員又はロボットアームにより表示パネルをトレイから取り出し、顕微鏡のステージに載置して検査を行ない、検査終了後、再びトレイに戻すという作業を１個ずつ行っている。
【０００４】
しかし、検査対象となる表示パネルは生産数量が多く、しかも全数検査を実施している場合、検査数量が多いので、従来の方法では検査員一人当たりの処理可能数が少なく、効率が悪いという問題があった。
【特許文献１】特開２００３−２６９９３４号公報
【発明の開示】
【発明が解決しようとする課題】
【０００５】
本発明は、上記に鑑みてなされたものであり、平面表示装置の表示パネルに手を触れずに、顕微鏡等で実装圧着部等の検査を効率よく行うことのできる検査方法及び検査用冶具を提供することを目的とする。
【課題を解決するための手段】
【０００６】
本発明の表示パネルの検査方法は、平面表示装置を構成する表示パネルを検査台に載置して光学的に検査する方法であって、上記の課題を解決するために、複数の表示パネルをそれぞれ位置決めして吸着保持することが可能な複数の吸着部が一列又は複数列に配置され、これら複数の吸着部による吸着状態を同時に解除することが可能な解除手段を有する検査用冶具を用意し、検査対象となる複数の表示パネルを位置決めしつつ、その上面に前記吸着部を押し当てて、前記複数の吸着部のそれぞれに前記複数の表示パネルを同時に又は順次吸着させ、これら複数の表示パネルを吸着保持した状態のままで前記検査用冶具を持ち上げ、吸着された表示パネルの検査面が光学的検査装置の対物レンズ又はカメラに対向するように検査用冶具を反転させて位置決めしつつ検査台に載置し、一の表示パネルの検査が終了するごとに光学的検査装置の対物レンズ又はカメラに対して検査用冶具を直線的に移動させて次の表示パネルの検査を行い、検査用冶具に吸着された全ての表示パネルの検査が終了すると、冶具を持ち上げて表示パネルを開放する位置まで移動させ、表示パネルを下に向けて解除手段により吸着部の負圧状態を解除して表示パネルを開放するものとする。
【０００７】
本発明の検査用冶具は、上記検査方法に用いるものであって、複数の表示パネルをそれぞれ吸着保持することが可能な複数の吸着部が一列又は複数列に配置され、これら複数の吸着部による吸着状態を同時に解除することが可能な解除手段を有するものとする。
【発明の効果】
【０００８】
本発明によれば、検査用冶具に複数の表示パネルを同時に吸着保持して検査に供することができるので、表示パネルが収納されたトレイ等と検査台との間で冶具及び表示パネルを移動させる回数を減少させることにより、検査の効率を大幅に向上させることが可能となる。
【発明を実施するための最良の形態】
【０００９】
以下、図を用いて本発明をさらに具体的に説明するが、本発明はこれに限定されるものではない。
【００１０】
図１（ａ）は本発明の一実施例に係る検査用冶具Ａ（以下、単に冶具Ａと称する場合もある）の側面を示す図であり、（ｂ）は同冶具Ａの吸着面を示す図である。これらの図において、符号１はベースプレート、符号２は吸着パッド（吸着部）、符号３は解除レバーを示す。
【００１１】
ベースプレート１は板状の部材であり、その片面に６個の吸着パッド２がほぼ等間隔で配置されている。吸着パッド２は、表示パネルに当接して、吸盤の原理で表示パネルを吸着保持するようになされている。解除レバー３は、これを引くことにより６個全ての吸着パッド２の負圧が解除され、それにより各表示パネルがそれぞれ吸着している吸着パッド２からほぼ同時に離れるようになされている。
【００１２】
この検査用冶具Ａを用いて表示パネルの検査を行うには、まず検査対象となる表示パネルを検査面（顕微鏡等の検査装置の対物レンズやカメラに向ける面）を下に向けてトレイ等の平らな面上で、例えば図２に示すようにガイド５を用いて位置決めする。すなわち、ガイド５には冶具Ａの吸着パッド２の位置に合わせて、複数（本例では６個）の切り欠きが設けられており、手袋をはめた作業員の手作業によりこれらの切り欠きに表示パネル４をそれぞれはめ込んでいく。
【００１３】
次に、表示パネル４をガイド４にはめたままの状態で冶具Ａを上から押し当てて、図３に示すように、６個の吸着パッド２に表示パネル４をそれぞれ吸着保持させる。６個の吸着パッド２に６個の表示パネル４が吸着するタイミングは同時でも順次でもよい。
【００１４】
このように６個の吸着パッド２のそれぞれに表示パネル４を吸着保持した状態のまま、検査を行う。なお、本発明でいう検査は各種顕微鏡等による光学的検査全般を含むが、ここでは光学顕微鏡を用いて検査する場合について説明する。
【００１５】
図４は、表示パネル４を吸着保持した冶具Ａを検査面を上にして顕微鏡のステージ（水平台）に載置した状態を示す。
【００１６】
上記のように６個の吸着パッド２に表示パネル４をそれぞれ吸着保持させた冶具Ａは、作業員が両端の取手部１ａ，１ｂを持って、各表示パネル４の検査面が上を向くように冶具Ａを反転させて、本図に示すように顕微鏡のステージ６上に載置し、ステージ６に固定されたガイド７に沿わせて、検査対象となる表示パネル４の実装部が顕微鏡の対物レンズの真下の位置９に来るように位置決めし、顕微鏡にて検査を行う。なお、本図に示すように表示パネル４は透明であるため、これを透過して吸着パッド２が視認可能である。
【００１７】
検査の手順としては、冶具Ａの端の吸着パッド２に吸着された表示パネル４の検査をまず行い、その検査が終了するとステージ６上でガイド７に沿って冶具Ａを移動させて隣の表示パネル４の検査を行い、同じ要領で順に検査を行って、吸着保持された６枚の表示パネル４全ての検査を行うのが好ましい。なお、ガイド７には１又は複数の目盛り８を適宜付することにより、位置決めをより容易にすることができる。
【００１８】
吸着保持している表示パネル４全ての検査が終了すると、表示パネル４をもとのトレイ又は別のトレイに戻す作業を行う。具体的には、吸着保持状態のまま冶具Ａを両端の取手部１ａ，１ｂを持って持ち上げて、戻すべき位置まで移動させ、表示パネル４が吸着された面を下に向けて冶具Ａの解除レバー３を引き、負圧状態を解除する。それにより、６個の表示パネル４はほぼ同時に吸着パッド２から離れて、吸着時とほぼ同じ整列状態でトレイに載置される。
【００１９】
上記のように、本発明の検査用冶具Ａを用いることにより、複数の表示パネルを同時に顕微鏡のステージまで移動させることができるので、トレイ等と検査位置との間の移動回数が少なくて済み、検査の効率を大幅に向上させることが可能となる。
【００２０】
なお、本発明の検査用冶具は、上記に記載したものに限定されず、吸着パッドの形状、配置、及び個数等、並びに、解除レバーの形状や機構を必要に応じて適宜変更することができる。さらに、必ずしも冶具に設けられた吸着パッドの全てに表示パネルを吸着する必要はなく、少なくとも２個以上の表示パネルを同時に吸着して検査に供するものとする。
【００２１】
本発明の検査方法は、例えば携帯電話等の携帯機器用の液晶表示パネルの検査に好適に用いられるが、有機ＥＬやＦＥＤ等を含む平面表示装置全般に適用可能である。検査を行った表示パネルは、回路基板等と組み合わされて平面表示装置が得られる。
【図面の簡単な説明】
【００２２】
【図１】（ａ）は本発明の一実施例に係る検査用冶具Ａの側面を示す図であり、（ｂ）は冶具Ａの吸着面を示す図である。
【図２】ガイドを用いて表示パネルを位置決めする方法を示す図である。
【図３】表示パネルを吸着した状態における冶具Ａの側面を示す図である。
【図４】表示パネルを吸着した冶具Ａをステージに載置した状態を示す図である。
【符号の説明】
【００２３】
Ａ……検査用冶具
１……ベースプレート
２……吸着パッド
３……解除レバー
４……表示パネル
５……ガイド
６……ステージ
７……ガイド
８……目盛り
【図１】
2008241464.tif 000003
【図２】
2008241464.tif 000004
【図３】
2008241464.tif 000005
【図４】
2008241464.tif 000006